(57)【要約】【課題】画像電圧の書き込み不足を防止できるとともに、消費電力を低減できる電気光学装置および電子機器を提供すること。【解決手段】電気光学装置は、赤（Ｒ）、緑（Ｇ）、青（Ｂ）に対応する３つのサブ画素からなる画素を複数備える。この電気光学装置には、デマルチプレクサ３１、制御回路３２、および電源回路３３が設けられている。デマルチプレクサ３１は、１つの入力端子Ｑ１と、３つの出力端子Ｑ２、Ｑ３、Ｑ４と、を有し、入力端子Ｑ１に、赤（Ｒ）、緑（Ｇ）、青（Ｂ）の画像信号が時分割された画像信号が入力され、複数の出力端子Ｑ２、Ｑ３、Ｑ４に、時分割された画像信号のうち対応する色の画像信号をそれぞれ供給する。電源回路３３は、第１電源３３１、第２電源３３２、および第３電源３３３を備え、データ線Ｘ（３ｎ−２）、Ｘ（３ｎ−１）、Ｘ（３ｎ）にプリチャージを行う。制御回路３２は、電源回路３３を制御する。【選択図】図２
2008020573.tif 000002
【特許請求の範囲】
【請求項１】
複数の走査線と複数のデータ線との交差に対応して設けられた複数の画素を備えた電気光学装置であって、
前記走査線を選択する選択電圧を前記複数の走査線に順次供給する走査線駆動回路と、
前記走査線が選択された際に、前記複数のデータ線に画像信号を供給するデータ線駆動回路と、
一方の端子が画像信号の供給される接続点に接続されるとともに他方の端子が所定本数のデータ線のうちいずれかに各々接続される複数のスイッチング素子を含み、前記選択電圧に基づいて前記所定本数のデータ線から選択した１本のデータ線に前記画像信号を時分割した信号を供給する選択回路と、
前記走査線が選択される前の帰線期間において、異なる複数の電圧レベルの中から選択して、前記所定本数のデータ線の各々に供給を行うプリチャージ回路と、
前記プリチャージ回路を制御するプリチャージ制御回路と、を備えることを特徴とする電気光学装置。
【請求項２】
請求項１に記載の電気光学装置において、
前記プリチャージ制御回路は、前記時分割された画像信号を構成する複数の画像信号の平均値を判定し、
前記プリチャージ回路は、前記プリチャージ制御回路が判定した平均値に対応した電圧に基づいて、前記所定本数のデータ線の各々にプリチャージを行うことを特徴とする電気光学装置。
【請求項３】
請求項１または２に記載の電気光学装置において、
前記プリチャージ制御回路は、前記所定本数のデータ線に対応して、所定の比率に対応した期間を保持し、
前記選択回路は、前記プリチャージ制御回路が保持する所定の比率に対応した期間で、前記所定本数のデータ線に、前記時分割された画像信号のうち対応する前記画像信号をそれぞれ供給することを特徴とする電気光学装置。
【請求項４】
請求項１または２に記載の電気光学装置において、
前記プリチャージ制御回路は、前記時分割された画像信号を構成する複数の前記画像信号のレベルの差分を判定し、
前記選択回路は、前記プリチャージ制御回路が判定した差分に対応した期間で、前記所定本数のデータ線に、前記時分割された画像信号のうち対応する前記画像信号をそれぞれ供給することを特徴とする電気光学装置。
【請求項５】
請求項１乃至４のいずれか１項に記載の電気光学装置を備えることを特徴とする電子機器。
【発明の詳細な説明】
【技術分野】
【０００１】
本発明は、電気光学装置および電子機器に関する。
【背景技術】
【０００２】
従来より、液晶装置といった電気光学装置が知られている。この電気光学装置は、例えば、所定間隔おきに設けられた複数の走査線と、これら複数の走査線に交差し所定間隔おきに設けられた複数のデータ線と、を備える。
【０００３】
各走査線と各データ線との交差部分には、画素が設けられている。画素は、画素電極および共通電極からなる画素容量と、スイッチング素子としての薄膜トランジスタ（以降、ＴＦＴ（Thin  Film  Transistor）と呼ぶ）と、を備える。この画素は、マトリクス状に複数配列されて表示領域を形成する。
ＴＦＴのゲートには、走査線が接続され、ＴＦＴのソースには、データ線が接続され、ＴＦＴのドレインには、画素電極が接続されている。
【０００４】
走査線駆動回路は、走査線を選択する選択電圧を所定の順番で各走査線に供給する。走査線に選択電圧が供給されると、この走査線に接続されたＴＦＴが全てオン状態となる。
【０００５】
データ線駆動回路は、画像信号を各データ線に供給し、オン状態のＴＦＴを介して、この画像信号に基づく画像電圧を画素電極に書き込む。
【０００６】
以上の液晶装置は、以下のように動作する。
すなわち、走査線に選択電圧を順次供給することで、ある走査線に接続されたＴＦＴを全てオン状態にして、この走査線に係る画素を全て選択する。そして、これら画素の選択に同期して、データ線に画像信号を供給する。すると、選択した全ての画素に、オン状態のＴＦＴを介して画像信号が供給され、この画像信号に基づく画像電圧が画素電極に書き込まれる。
【０００７】
画素電極に画像電圧が書き込まれると、画素電極と共通電極との電位差により、液晶に駆動電圧が印加される。液晶に駆動電圧が印加されると、液晶の配向や秩序が変化し、液晶を透過する光が変化して、階調表示が行われる。そして、各画素で階調表示が行われることで、複数の画素からなる表示領域では、画像が表示される。
【０００８】
このような電気光学装置では、近年、鮮明な画像表示が求められているため、単位面積当たりの画素の数を増加させて、高解像度化を図っている。
ところが、単位面積当たりの画素の数が増加すると、各画素では、画素電極に画像電圧を書き込む時間が短くなるので、画像電圧の書き込み不足が発生して、コントラストが低下する場合があった。
【０００９】
そこで、プリチャージ駆動方式を用いた電気光学装置がある（例えば、特許文献１参照）。
特許文献１に記載の電気光学装置によれば、データ線に画像信号を供給する前にデータ線に所定の電圧を供給する、いわゆるプリチャージを行うことで、画像信号を供給する前のデータ線の電圧と、画像信号を供給した後のデータ線の電圧と、の電位差をあらかじめ小さくする。これにより、データ線に画像信号を供給する際に、データ線の電圧を変動させる電位差が小さくなるので、データ線の電圧を、画像信号に基づく画像電圧の電圧まで変動させるのに必要な電荷が減少する。よって、画素電極の電圧を、画像信号に基づく画像電圧の電圧にするために、上述の電荷を利用できるので、画像電圧の書き込み不足を防止できる。
【特許文献１】特開２００２−２２９５２５号公報
【発明の開示】
【発明が解決しようとする課題】
【００１０】
ところで、特許文献１に記載の電気光学装置では、プリチャージを行う際に、データ線に供給する所定の電圧（以降、プリチャージ電圧と呼ぶ）は、一定である。このため、様々な階調に対応する画像信号に対して、１種類のプリチャージ電圧で対応しなければならないので、画像信号によってはプリチャージ電圧が必要以上に高くなり、消費電力が増大する場合があった。
【００１１】
そこで、本発明は、上述の課題に鑑みてなされたものであり、画像電圧の書き込み不足を防止できるとともに、消費電力を低減できる電気光学装置および電子機器を提供することを目的とする。
【課題を解決するための手段】
【００１２】
本発明の電気光学装置は、複数の走査線と複数のデータ線との交差に対応して設けられた複数の画素を備えた電気光学装置であって、前記走査線を選択する選択電圧を前記複数の走査線に順次供給する走査線駆動回路と、前記走査線が選択された際に、前記複数のデータ線に画像信号を供給するデータ線駆動回路と、一方の端子が画像信号の供給される接続点に接続されるとともに他方の端子が所定本数のデータ線のうちいずれかに各々接続される複数のスイッチング素子を含み、前記選択電圧に基づいて前記所定本数のデータ線から選択した１本のデータ線に前記画像信号を時分割した信号を供給する選択回路と、前記走査線が選択される前の帰線期間において、異なる複数の電圧レベルの中から選択して、前記所定本数のデータ線の各々に供給を行うプリチャージ回路と、前記プリチャージ回路を制御するプリチャージ制御回路と、を備えることを特徴とする。
【００１３】
この発明によれば、プリチャージ回路を設けたので、データ線にプリチャージを行って、画像電圧の書き込み不足を防止できる。
【００１４】
また、この発明によれば、プリチャージ制御回路により、プリチャージ回路を制御した。このため、所定本数のデータ線ごとにプリチャージ電圧を選択することで、プリチャージ電圧が必要以上に高くなるのを抑制して、消費電力を低減できる。
【００１５】
本発明の電気光学装置では、前記プリチャージ制御回路は、前記時分割された画像信号を構成する複数の画像信号の平均値を判定し、前記プリチャージ回路は、前記プリチャージ制御回路が判定した平均値に対応した電圧に基づいて、前記所定本数のデータ線の各々にプリチャージを行うことが好ましい。
【００１６】
この発明によれば、プリチャージ制御回路により、時分割された画像信号を構成する複数の画像信号の平均値を判定し、プリチャージ回路により、この平均値に対応した電圧に基づいて、所定本数のデータ線の各々にプリチャージを行った。このため、プリチャージ電圧が必要以上に高くなるのを抑制して、消費電力を低減できる。
【００１７】
本発明の電気光学装置では、前記プリチャージ制御回路は、前記所定本数のデータ線に対応して、所定の比率に対応した期間を保持し、前記選択回路は、前記プリチャージ制御回路が保持する所定の比率に対応した期間で、前記所定本数のデータ線に、前記時分割された画像信号のうち対応する前記画像信号をそれぞれ供給することが好ましい。
【００１８】
この発明によれば、プリチャージ制御回路により、所定本数のデータ線に対応して、所定の比率に対応した期間を保持し、選択回路により、プリチャージ制御回路が保持する所定の比率に対応した期間で、所定本数のデータ線に画像信号をそれぞれ供給した。このため、プリチャージを行っても、なお画像電圧の書き込み不足が発生する恐れのある場合には、上述の所定の比率に対応した期間で所定本数のデータ線に画像信号をそれぞれ供給することで、画像信号を供給する時間を長くして、画像電圧の書き込み不足を防止できる。
【００１９】
本発明の電気光学装置では、前記プリチャージ制御回路は、前記時分割された画像信号を構成する複数の前記画像信号のレベルの差分を判定し、前記選択回路は、前記プリチャージ制御回路が判定した差分に対応した期間で、前記所定本数のデータ線に、前記時分割された画像信号のうち対応する前記画像信号をそれぞれ供給することが好ましい。
【００２０】
この発明によれば、プリチャージ制御回路により、時分割された画像信号を構成する複数の画像信号のレベルの差分を判定し、選択回路により、この差分に対応した期間で所定本数のデータ線に画像信号をそれぞれ供給した。このため、プリチャージを行っても、なお画像電圧の書き込み不足が発生する恐れのある場合には、上述の差分に対応した期間で所定本数のデータ線に画像信号をそれぞれ供給することで、画像信号を供給する時間を長くして、画像電圧の書き込み不足を防止できる。
【００２１】
本発明の電子機器は、上述の液晶装置を備えることを特徴とする。
この発明によれば、上述した効果と同様の効果がある。
【発明を実施するための最良の形態】
【００２２】
以下、本発明の実施形態を図面に基づいて説明する。なお、以下の実施形態および変形例の説明にあたって、同一構成要件については同一符号を付し、その説明を省略もしくは簡略化する。
【００２３】
＜第１実施形態＞
図１は、本発明の第１実施形態に係る電気光学装置１のブロック図である。
電気光学装置１は、液晶パネルＡＡを備える。
【００２４】
液晶パネルＡＡは、表示領域Ａ、この表示領域Ａの周辺に設けられてサブ画素５０を駆動する走査線駆動回路１０およびデータ線駆動回路２０を備える。
【００２５】
この液晶パネルＡＡには、所定間隔おきに交互に設けられた３２０行の走査線Ｙ１〜Ｙ３２０および３２０行の共通線Ｚ１〜Ｚ３２０と、これら走査線Ｙ１〜Ｙ３２０および共通線Ｚ１〜Ｚ３２０に交差するように設けられた２４０列のデータ線Ｘ１〜Ｘ２４０と、を備える。各走査線Ｙと各データ線Ｘとの交差部分には、サブ画素５０が設けられている。
【００２６】
サブ画素５０は、ＴＦＴ５１、画素電極５５、この画素電極５５に対向して設けられた共通電極５６、および、一方の電極が共通線Ｚを介して共通電極５６に接続され他方の電極が画素電極５５に接続された蓄積容量５３で構成される。画素電極５５および共通電極５６は、画素容量５４を構成する。
【００２７】
ＴＦＴ５１のゲートには、走査線Ｙが接続され、ＴＦＴ５１のソースには、データ線Ｘが接続され、ＴＦＴ５１のドレインには、画素電極５５および蓄積容量５３の他方の電極が接続されている。したがって、このＴＦＴ５１は、走査線Ｙから選択電圧が印加されるとオン状態となり、データ線Ｘと画素電極５５および蓄積容量５３の他方の電極とを導通状態とする。
【００２８】
走査線Ｙおよび共通線Ｚが延びる方向に隣接する３つのサブ画素５０は、それぞれ、赤（Ｒ）、緑（Ｇ）、青（Ｂ）を表示する。これら３つのサブ画素５０は、１つの画素５を構成し、複数の画素５は、表示領域Ａを構成する。
【００２９】
走査線駆動回路１０は、ＴＦＴ５１をオン状態にする選択電圧を複数の走査線Ｙに順次供給する。例えば、ある走査線Ｙに選択電圧を供給すると、この走査線Ｙに接続されたＴＦＴ５１が全てオン状態となり、この走査線Ｙに係るサブ画素５０が全て選択される。
【００３０】
データ線駆動回路２０は、画像信号をデータ線Ｘに供給し、オン状態のＴＦＴ５１を介して、この画像信号に基づく画像電圧を画素電極５５に書き込む。
このデータ線駆動回路２０は、８０個の単位データ線駆動回路Ｓ１〜Ｓ８０を備える。単位データ線駆動回路Ｓｎ（ｎは、１≦ｎ≦８０を満たす整数）は、画素５を構成する３つのサブ画素５０に係る３つのデータ線Ｘ（３ｎ−２）、Ｘ（３ｎ−１）、Ｘ（３ｎ）にそれぞれ画像信号を供給する。
【００３１】
図２は、単位データ線駆動回路Ｓｎのブロック図である。
単位データ線駆動回路Ｓｎは、選択回路としてのデマルチプレクサ３１と、プリチャージ制御回路としての制御回路３２と、プリチャージ回路としての電源回路３３と、を備える。
【００３２】
この単位データ線駆動回路Ｓｎは、入力端子ＳＥＧから、赤（Ｒ）、緑（Ｇ）、青（Ｂ）の各色の画像信号が時分割された画像信号が入力される。各色の画像信号は、それぞれ、０〜２５５までの２５６段階の階調を表現できる。
【００３３】
制御回路３２は、デマルチプレクサ３１に第１の制御信号を供給するとともに、電源回路３３に第２の制御信号を供給する。
【００３４】
まず、制御回路３２がデマルチプレクサ３１に供給する第１の制御信号について説明する。第１の制御信号は、赤（Ｒ）のサブ画素５０に係るデータ線Ｘ（３ｎ−２）、緑（Ｇ）のサブ画素５０に係るデータ線Ｘ（３ｎ−１）、または青（Ｂ）のサブ画素５０に係るデータ線Ｘ（３ｎ）のうちいずれか１つを所定の期間ごとに順次選択するための信号である。
制御回路３２は、データ線Ｘ（３ｎ−２）、Ｘ（３ｎ−１）、Ｘ（３ｎ）のうち１つを所定の期間ごとに順次選択するための信号を、第１の制御信号としてデマルチプレクサ３１に供給する。
【００３５】
次に、制御回路３２が電源回路３３に供給する第２の制御信号について説明する。第２の制御信号は、データ線Ｘ（３ｎ−２）、Ｘ（３ｎ−１）、Ｘ（３ｎ）に供給するプリチャージ電圧を選択するための信号である。
制御回路３２は、図示しないルックアップテーブル（以降、ＬＵＴ（Look  Up  Table）と呼ぶ）を備え、このＬＵＴには、画像信号の階調の平均値と、第１電源３３１、第２電源３３２、および第３電源３３３と、の関係を保持している。この制御回路３２は、入力端子ＳＥＧから入力される時分割された画像信号を構成する赤（Ｒ）、緑（Ｇ）、青（Ｂ）の各色の画像信号の階調の平均値を判定する。
そして、判定した平均値が、０〜８５階調であれば、後述する第１電源３３１を選択するための信号を、８６〜１７０階調であれば、後述する第２電源３３２を選択するための信号を、１７１〜２５５階調であれば、後述する第３電源３３３を選択するための信号を、第２の制御信号として電源回路３３に供給する。
【００３６】
デマルチプレクサ３１は、１入力３出力の１：３デマルチプレクサである。１つの入力端子Ｑ１には、入力端子ＳＥＧが接続され、３つの出力端子Ｑ２、Ｑ３、Ｑ４には、それぞれ、データ線Ｘ（３ｎ−２）、Ｘ（３ｎ−１）、Ｘ（３ｎ）に接続されている。
このデマルチプレクサ３１は、制御回路３２から供給された第１の制御信号に基づいて、データ線Ｘ（３ｎ−２）、Ｘ（３ｎ−１）、Ｘ（３ｎ）のいずれか１つを所定の期間ごとに順次選択し、選択したデータ線に、入力端子ＳＥＧから入力される時分割された画像信号を供給する。これにより、時分割された画像信号を構成する赤（Ｒ）、緑（Ｇ）、青（Ｂ）の各色の画像信号のうち、データ線Ｘ（３ｎ−２）には、赤（Ｒ）の画像信号が供給され、データ線Ｘ（３ｎ−１）には、緑（Ｇ）の画像信号が供給され、データ線Ｘ（３ｎ）には、青（Ｂ）の画像信号が供給される。
【００３７】
電源回路３３は、第１電源３３１、第２電源３３２、第３電源３３３、およびスイッチ３３５を備える。
第１電源３３１、第２電源３３２、および第３電源３３３は、それぞれ、電圧ＧＮＤ（基準電圧）、Ｖｐｃ、２Ｖｐｃを出力する。ここで、電圧ＧＮＤ、Ｖｐｃ、２Ｖｐｃの順に電位が高く、電圧Ｖｐｃは、電圧２Ｖｐｃの半分の電圧である。
スイッチ３３５は、制御回路３２から供給された第２の制御信号に基づいて、第１電源３３１、第２電源３３２、または第３電源３３３のいずれか１つを選択する。そして、第１電源３３１を選択した場合、電圧ＧＮＤを出力し、第２電源３３２を選択した場合、電圧Ｖｐｃを出力し、第３電源３３３を選択した場合、電圧２Ｖｐｃを出力する。この出力した電圧は、端子Ｐｒ、Ｐｇ、Ｐｂを介して、データ線Ｘ（３ｎ−２）、Ｘ（３ｎ−１）、Ｘ（３ｎ）にプリチャージ電圧として供給される。
【００３８】
図３は、上述の単位データ線駆動回路Ｓｎを備える電気光学装置１のタイミングチャートである。
図３において、ＧＡＴＥ（ｍ）は、ｍ行目（ｍは、１≦ｍ≦３２０を満たす整数）の走査線Ｙｍの電圧である。また、ＶＰｒは、端子Ｐｒの電圧であり、ＶＰｇは、端子Ｐｇの電圧であり、ＶＰｂは、端子Ｐｂの電圧である。
【００３９】
まず、制御回路３２により、入力端子ＳＥＧから入力される時分割された画像信号において、この時分割された画像信号を構成する赤（Ｒ）、緑（Ｇ）、青（Ｂ）の各色の画像信号の階調の平均値を判定する。そして、判定した階調の平均値に基づいて、第１電源３３１、第２電源３３２、または第３電源３３３のいずれか１つを選択するための信号を、第２の制御信号として電源回路３３に供給する。
【００４０】
また、制御回路３２により、データ線Ｘ（３ｎ−２）、Ｘ（３ｎ−１）、Ｘ（３ｎ）のうち１つを所定の期間ごとに順次選択するための信号を、第１の制御信号としてデマルチプレクサ３１に供給する。
【００４１】
次に、時刻ｔ１からｔ２までの期間では、上述の第２の制御信号に基づいて、電源回路３３により、電圧ＧＮＤ、Ｖｐｃ、２Ｖｐｃのいずれか１つを、データ線（３ｎ−２）、Ｘ（３ｎ−１）、Ｘ（３ｎ）に供給する。これにより、データ線（３ｎ−２）、Ｘ（３ｎ−１）、Ｘ（３ｎ）に同一の電圧でプリチャージを行う。
【００４２】
次に、時刻ｔ２において、走査線駆動回路１０により、ｍ行目の走査線Ｙｍに選択電圧を供給して、ｍ行目の走査線Ｙｍの電圧ＧＡＴＥ（ｍ）を電圧ＶＧＨとする。すると、ｍ行目の走査線Ｙｍに接続された全てのＴＦＴ５１がオン状態となる。
【００４３】
次に、時刻ｔ２からｔ３までの期間では、上述の第１の制御信号に基づいて、デマルチプレクサ３１により、データ線Ｘ（３ｎ−２）、Ｘ（３ｎ−１）、Ｘ（３ｎ）のうちデータ線Ｘ（３ｎ−２）を選択する。これにより、データ線Ｘ（３ｎ−２）には、入力端子ＳＥＧから入力される時分割された画像信号を構成する赤（Ｒ）、緑（Ｇ）、青（Ｂ）の各色の画像信号のうち赤（Ｒ）の画像信号が供給される。この赤（Ｒ）の画像信号に基づく画像電圧は、オン状態のＴＦＴ５１を介して、走査線Ｙｍとデータ線Ｘ（３ｎ−２）との交差に対応して設けられたサブ画素５０の画素電極５５に書き込まれる。
【００４４】
次に、時刻ｔ３からｔ４までの期間では、上述の第１の制御信号に基づいて、デマルチプレクサ３１により、データ線Ｘ（３ｎ−２）、Ｘ（３ｎ−１）、Ｘ（３ｎ）のうちデータ線Ｘ（３ｎ−１）を選択する。これにより、データ線Ｘ（３ｎ−１）には、入力端子ＳＥＧから入力される時分割された画像信号を構成する赤（Ｒ）、緑（Ｇ）、青（Ｂ）の各色の画像信号のうち緑（Ｇ）の画像信号が供給される。この緑（Ｇ）の画像信号に基づく画像電圧は、オン状態のＴＦＴ５１を介して、走査線Ｙｍとデータ線Ｘ（３ｎ−１）との交差に対応して設けられたサブ画素５０の画素電極５５に書き込まれる。
なお、時刻ｔ３からｔ４までの期間は、上述の時刻ｔ２からｔ３までの期間に等しい。
【００４５】
次に、時刻ｔ４からｔ５までの期間では、上述の第１の制御信号に基づいて、デマルチプレクサ３１により、データ線Ｘ（３ｎ−２）、Ｘ（３ｎ−１）、Ｘ（３ｎ）のうちデータ線Ｘ（３ｎ）を選択する。これにより、データ線Ｘ（３ｎ）には、入力端子ＳＥＧから入力される時分割された画像信号を構成する赤（Ｒ）、緑（Ｇ）、青（Ｂ）の各色の画像信号のうち青（Ｂ）の画像信号が供給される。この青（Ｂ）の画像信号に基づく画像電圧は、オン状態のＴＦＴ５１を介して、走査線Ｙｍとデータ線Ｘ（３ｎ）との交差に対応して設けられたサブ画素５０の画素電極５５に書き込まれる。
なお、時刻ｔ４からｔ５までの期間は、上述の時刻ｔ２からｔ３までの期間に等しい。
【００４６】
次に、時刻ｔ５において、走査線駆動回路１０により、ｍ行目の走査線Ｙｍに選択電圧を供給するのを停止して、ｍ行目の走査線Ｙｍの電圧ＧＡＴＥ（ｍ）を電圧ＶＧＬとする。すると、ｍ行目の走査線Ｙｍに接続された全てのＴＦＴ５１がオフ状態となる。
【００４７】
次に、時刻ｔ５からｔ７までの帰線期間のうち、時刻ｔ５からｔ６までの期間では、制御回路３２により、入力端子ＳＥＧから入力される時分割された画像信号において、この時分割された画像信号を構成する赤（Ｒ）、緑（Ｇ）、青（Ｂ）の各色の画像信号の階調の平均値を判定する。そして、判定した階調の平均値に基づいて、第１電源３３１、第２電源３３２、または第３電源３３３のいずれか１つを選択するための信号を、第２の制御信号として電源回路３３に供給する。
【００４８】
また、制御回路３２により、データ線Ｘ（３ｎ−２）、Ｘ（３ｎ−１）、Ｘ（３ｎ）のうち１つを所定の期間ごとに順次選択するための信号を、第１の制御信号としてデマルチプレクサ３１に供給する。
【００４９】
以降、時刻ｔ６からｔ１０までの期間では、制御回路３２から供給される第１の制御信号および第２の制御信号に基づいて、上述の時刻ｔ１からｔ５までの期間と同様に動作する。
なお、時刻ｔ５からｔ７までの帰線期間のうち、時刻ｔ６からｔ７までの期間は、上述の時刻ｔ１からｔ２までの期間に等しい。また、時刻ｔ７からｔ８までの期間と、時刻ｔ８からｔ９までの期間と、時刻ｔ９からｔ１０までの期間とは、上述の時刻ｔ２からｔ３までの期間に等しい。
【００５０】
本実施形態によれば、以下のような効果がある。
（１）電源回路３３を設けたので、データ線Ｘ（３ｎ−２）、Ｘ（３ｎ−１）、Ｘ（３ｎ）にプリチャージを行って、画像電圧の書き込み不足を防止できる。
【００５１】
（２）制御回路３２により、時分割された画像信号を構成する赤（Ｒ）、緑（Ｇ）、青（Ｂ）の各色の画像信号の階調の平均値を判定し、電源回路３３により、この階調の平均値に応じた電圧でデータ線Ｘ（３ｎ−２）、Ｘ（３ｎ−１）、Ｘ（３ｎ）にプリチャージを行った。このため、プリチャージ電圧が必要以上に高くなるのを抑制して、消費電力を低減できる。
【００５２】
＜第２実施形態＞
以下に、図２を用いて、本発明の第２実施形態に係る単位データ線駆動回路Ｓｎについて説明する。
本実施形態に係る単位データ線駆動回路Ｓｎの構成は、第１実施形態に係る単位データ線駆動回路Ｓｎの構成と同じである。ただし、本実施形態に係る単位データ線駆動回路Ｓｎは、データ線Ｘ（３ｎ−２）、Ｘ（３ｎ−１）、Ｘ（３ｎ）に、それぞれ、所定の比率に応じた期間で画像信号を供給できる点が、第１実施形態に係る単位データ線駆動回路Ｓｎとは異なる。
具体的には、以下に説明するように、本実施形態に係る制御回路３２の動作が、第１実施形態に係る制御回路３２の動作とは異なる。
【００５３】
まず、本実施形態に係る制御回路３２がデマルチプレクサ３１に供給する第１の制御信号について説明する。第１の制御信号は、データ線Ｘ（３ｎ−２）、Ｘ（３ｎ−１）、Ｘ（３ｎ）のうちいずれか１つを、所定の期間ごと、または、所定の比率に応じた期間ごとに、順次選択するための信号である。
制御回路３２は、画像信号の階調の平均値と、第１電源３３１、第２電源３３２、および第３電源３３３と、の関係を保持する上述のＬＵＴに加えて、図示しない記憶部を備え、この記憶部には、データ線Ｘ（３ｎ−２）、Ｘ（３ｎ−１）、Ｘ（３ｎ）に対応して、所定の比率として２：１：１の比率を保持している。
【００５４】
この制御回路３２は、まず、入力端子ＳＥＧから入力される時分割された画像信号を構成する赤（Ｒ）、緑（Ｇ）、青（Ｂ）の各色の画像信号の階調の平均値を判定する。
そして、判定した階調の平均値が、２００階調未満であれば、データ線Ｘ（３ｎ−２）、Ｘ（３ｎ−１）、Ｘ（３ｎ）のうち１つを所定の期間ごとに順次選択するための信号を、第１の制御信号としてデマルチプレクサ３１に供給する。
一方、判定した階調の平均値が、２００階調以上であれば、記憶部に記憶した２：１：１の比率に基づいて、データ線Ｘ（３ｎ−２）、Ｘ（３ｎ−１）、Ｘ（３ｎ）をそれぞれ、２：１：１の期間ごとに順次選択するための信号を、第１の制御信号としてデマルチプレクサ３１に供給する。
【００５５】
なお、本実施形態に係る制御回路３２が電源回路３３に供給する第２の制御信号は、第１実施形態に係る制御回路３２が電源回路３３に供給する第２の制御信号と同じである。
【００５６】
図４は、上述の本実施形態に係る単位データ線駆動回路Ｓｎを備える電気光学装置１のタイミングチャートである。
【００５７】
まず、制御回路３２により、入力端子ＳＥＧから入力される時分割された画像信号において、この時分割された画像信号を構成する赤（Ｒ）、緑（Ｇ）、青（Ｂ）の各色の画像信号の階調の平均値を判定する。そして、判定した階調の平均値に基づいて、第１電源３３１、第２電源３３２、または第３電源３３３のいずれか１つを選択するための信号を、第２の制御信号として電源回路３３に供給する。
【００５８】
ここで、上述の判定した階調の平均値は、２００階調以上であるものとする。すると、制御回路３２は、２：１：１の比率に基づく期間ごとに、データ線Ｘ（３ｎ−２）、Ｘ（３ｎ−１）、Ｘ（３ｎ）を順次選択するための信号を、第１の制御信号としてデマルチプレクサ３１に供給する。
【００５９】
次に、時刻ｔ１１からｔ１２までの期間では、上述の第２の制御信号に基づいて、電源回路３３により、電圧ＧＮＤ、Ｖｐｃ、２Ｖｐｃのいずれか１つを、データ線（３ｎ−２）、Ｘ（３ｎ−１）、Ｘ（３ｎ）に供給する。これにより、データ線（３ｎ−２）、Ｘ（３ｎ−１）、Ｘ（３ｎ）に同一の電圧でプリチャージを行う。
【００６０】
次に、時刻ｔ１２において、走査線駆動回路１０により、ｍ行目の走査線Ｙｍに選択電圧を供給して、ｍ行目の走査線Ｙｍの電圧ＧＡＴＥ（ｍ）を電圧ＶＧＨとする。すると、ｍ行目の走査線Ｙｍに接続された全てのＴＦＴ５１がオン状態となる。
【００６１】
次に、時刻ｔ１２からｔ１３までの期間では、上述の第１の制御信号に基づいて、デマルチプレクサ３１により、データ線Ｘ（３ｎ−２）、Ｘ（３ｎ−１）、Ｘ（３ｎ）のうちデータ線Ｘ（３ｎ−２）を選択する。これにより、データ線Ｘ（３ｎ−２）には、入力端子ＳＥＧから入力される時分割された画像信号を構成する赤（Ｒ）、緑（Ｇ）、青（Ｂ）の各色の画像信号のうち赤（Ｒ）の画像信号が供給される。この赤（Ｒ）の画像信号に基づく画像電圧は、オン状態のＴＦＴ５１を介して、走査線Ｙｍとデータ線Ｘ（３ｎ−２）との交差に対応して設けられたサブ画素５０の画素電極５５に書き込まれる。
【００６２】
次に、時刻ｔ１３からｔ１４までの期間では、上述の第１の制御信号に基づいて、時刻ｔ１２からｔ１３までの期間の半分の期間に亘って、デマルチプレクサ３１により、データ線Ｘ（３ｎ−２）、Ｘ（３ｎ−１）、Ｘ（３ｎ）のうちデータ線Ｘ（３ｎ−１）を選択する。これにより、データ線Ｘ（３ｎ−１）には、入力端子ＳＥＧから入力される時分割された画像信号を構成する赤（Ｒ）、緑（Ｇ）、青（Ｂ）の各色の画像信号のうち緑（Ｇ）の画像信号が供給される。この緑（Ｇ）の画像信号に基づく画像電圧は、オン状態のＴＦＴ５１を介して、走査線Ｙｍとデータ線Ｘ（３ｎ−１）との交差に対応して設けられたサブ画素５０の画素電極５５に書き込まれる。
【００６３】
次に、時刻ｔ１４からｔ１５までの期間では、上述の第１の制御信号に基づいて、時刻ｔ１２からｔ１３までの期間の半分の期間に亘って、デマルチプレクサ３１により、データ線Ｘ（３ｎ−２）、Ｘ（３ｎ−１）、Ｘ（３ｎ）のうちデータ線Ｘ（３ｎ）を選択する。これにより、データ線Ｘ（３ｎ）には、入力端子ＳＥＧから入力される時分割された画像信号を構成する赤（Ｒ）、緑（Ｇ）、青（Ｂ）の各色の画像信号のうち青（Ｂ）の画像信号が供給される。この青（Ｂ）の画像信号に基づく画像電圧は、オン状態のＴＦＴ５１を介して、走査線Ｙｍとデータ線Ｘ（３ｎ）との交差に対応して設けられたサブ画素５０の画素電極５５に書き込まれる。
【００６４】
次に、時刻ｔ１５において、走査線駆動回路１０により、ｍ行目の走査線Ｙｍに選択電圧を供給するのを停止して、ｍ行目の走査線Ｙｍの電圧ＧＡＴＥ（ｍ）を電圧ＶＧＬとする。すると、ｍ行目の走査線Ｙｍに接続された全てのＴＦＴ５１がオフ状態となる。
【００６５】
次に、時刻ｔ１５からｔ１７までの帰線期間のうち、時刻ｔ１５からｔ１６までの期間では、制御回路３２により、入力端子ＳＥＧから入力される時分割された画像信号において、この時分割された画像信号を構成する赤（Ｒ）、緑（Ｇ）、青（Ｂ）の各色の画像信号の階調の平均値を判定する。そして、判定した階調の平均値に基づいて、第１電源３３１、第２電源３３２、または第３電源３３３のいずれか１つを選択するための信号を、第２の制御信号として電源回路３３に供給する。
【００６６】
ここで、上述の判定した階調の平均値は、２００階調以上であるものとする。すると、制御回路３２は、２：１：１の比率に基づく期間ごとに、データ線Ｘ（３ｎ−２）、Ｘ（３ｎ−１）、Ｘ（３ｎ）を順次選択するための信号を、第１の制御信号としてデマルチプレクサ３１に供給する。
【００６７】
以降、時刻ｔ１６からｔ２０までの期間では、制御回路３２から供給される第１の制御信号および第２の制御信号に基づいて、上述の時刻ｔ１１からｔ１５までの期間と同様に動作する。
なお、時刻ｔ１５からｔ１７までの帰線期間のうち、時刻ｔ１６からｔ１７までの期間は、上述の時刻ｔ１１からｔ１２までの期間に等しい。また、時刻ｔ１７からｔ１８までの期間は、上述の時刻ｔ１２からｔ１３までの期間に等しく、時刻ｔ１８からｔ１９までの期間と、時刻ｔ１９からｔ２０までの期間とは、上述の時刻ｔ１２からｔ１３までの期間の半分に等しい。
【００６８】
本実施形態によれば、以下のような効果がある。
（３）制御回路３２により、時分割された画像信号を構成する赤（Ｒ）、緑（Ｇ）、青（Ｂ）の各色の画像信号の階調の平均値を判定し、この判定した階調の平均値が２００階調以上であれば、デマルチプレクサ３１により、制御回路３２が保持する２：１：１の比率に対応した期間で、３つのデータ線Ｘ（３ｎ−２）、Ｘ（３ｎ−１）、Ｘ（３ｎ）に画像信号を供給した。このため、上述の階調の平均値が２００階調以上、すなわち、プリチャージを行っても、なお画像電圧の書き込み不足が発生する恐れのある場合には、上述の比率に応じた期間でデータ線Ｘ（３ｎ−２）、Ｘ（３ｎ−１）、Ｘ（３ｎ）に画像信号をそれぞれ供給することで、画像信号を供給する時間を長くして、画像電圧の書き込み不足を防止できる。
【００６９】
＜第３実施形態＞
以下に、図２を用いて、本発明の第３実施形態に係る単位データ線駆動回路Ｓｎについて説明する。
本実施形態に係る単位データ線駆動回路Ｓｎの構成は、第２実施形態に係る単位データ線駆動回路Ｓｎの構成と同じである。ただし、本実施形態に係る単位データ線駆動回路Ｓｎは、データ線Ｘ（３ｎ−２）、Ｘ（３ｎ−１）、Ｘ（３ｎ）に、それぞれ、画像信号のレベルの差分に応じた期間で画像信号を供給できる点が、第２実施形態に係る単位データ線駆動回路Ｓｎとは異なる。
具体的には、以下に説明するように、本実施形態に係る制御回路３２の動作が、第２実施形態に係る制御回路３２の動作とは異なる。
【００７０】
まず、本実施形態に係る制御回路３２がデマルチプレクサ３１に供給する第１の制御信号について説明する。第１の制御信号は、データ線Ｘ（３ｎ−２）、Ｘ（３ｎ−１）、Ｘ（３ｎ）のうちいずれか１つを、所定の期間ごと、または、画像信号のレベルの差分に応じた期間ごとに、順次選択するための信号である。
制御回路３２は、画像信号の階調の平均値と、第１電源３３１、第２電源３３２、および第３電源３３３と、の関係を保持する上述のＬＵＴを備える。
【００７１】
この制御回路３２は、まず、入力端子ＳＥＧから入力される時分割された画像信号を構成する赤（Ｒ）、緑（Ｇ）、青（Ｂ）の各色の画像信号のうち、赤（Ｒ）の画像信号と、緑（Ｇ）の画像信号と、のレベルの差分を求める。
そして、赤（Ｒ）の画像信号を基準として、緑（Ｇ）の画像信号が６４階調以上大きければ、データ線Ｘ（３ｎ−２）を選択する期間の２倍の期間に亘って、データ線Ｘ（３ｎ−１）を選択する。また、緑（Ｇ）の画像信号が上述を除く階調であれば、データ線Ｘ（３ｎ−２）を選択する期間と同一の期間に亘って、データ線Ｘ（３ｎ−１）を選択する。
【００７２】
次に、上述のように、赤（Ｒ）の画像信号と、緑（Ｇ）の画像信号と、のレベルの差分を求めたのと同様に、赤（Ｒ）の画像信号と、青（Ｂ）の画像信号と、のレベルの差分を求め、この差分に基づく期間に亘って、データ線Ｘ（３ｎ）を選択する。
【００７３】
なお、本実施形態に係る制御回路３２が電源回路３３に供給する第２の制御信号は、第１実施形態に係る制御回路３２が電源回路３３に供給する第２の制御信号と同じである。
【００７４】
図５は、上述の本実施形態に係る単位データ線駆動回路Ｓｎを備える電気光学装置１のタイミングチャートである。
【００７５】
まず、制御回路３２により、入力端子ＳＥＧから入力される時分割された画像信号において、この時分割された画像信号を構成する赤（Ｒ）、緑（Ｇ）、青（Ｂ）の各色の画像信号の階調の平均値を判定する。そして、判定した階調の平均値に基づいて、第１電源３３１、第２電源３３２、または第３電源３３３のいずれか１つを選択するための信号を、第２の制御信号として電源回路３３に供給する。
【００７６】
また、制御回路３２により、赤（Ｒ）の画像信号と、緑（Ｇ）の画像信号と、のレベルの差分を求めるとともに、赤（Ｒ）の画像信号と、青（Ｂ）の画像信号と、のレベルの差分を求める。ここで、赤（Ｒ）の画像信号を基準として、緑（Ｇ）の画像信号が７０階調だけ大きいものとし、青（Ｂ）の画像信号が１０階調だけ小さいものとする。すると、制御回路３２は、赤（Ｒ）の画像信号が供給されるデータ線Ｘ（３ｎ−２）を選択する期間を基準として、２倍の期間に亘って緑（Ｇ）の画像信号が供給されるデータ線Ｘ（３ｎ−１）を選択するとともに、同一の期間に亘って青（Ｂ）の画像信号が供給されるデータ線Ｘ（３ｎ）を選択するための信号を、第１の制御信号としてデマルチプレクサ３１に供給する。
【００７７】
次に、時刻ｔ２１からｔ２２までの期間では、上述の第２の制御信号に基づいて、電源回路３３により、電圧ＧＮＤ、Ｖｐｃ、２Ｖｐｃのいずれか１つを、データ線（３ｎ−２）、Ｘ（３ｎ−１）、Ｘ（３ｎ）に供給する。これにより、データ線（３ｎ−２）、Ｘ（３ｎ−１）、Ｘ（３ｎ）に同一の電圧でプリチャージを行う。
【００７８】
次に、時刻ｔ２２において、走査線駆動回路１０により、ｍ行目の走査線Ｙｍに選択電圧を供給して、ｍ行目の走査線Ｙｍの電圧ＧＡＴＥ（ｍ）を電圧ＶＧＨとする。すると、ｍ行目の走査線Ｙｍに接続された全てのＴＦＴ５１がオン状態となる。
【００７９】
次に、時刻ｔ２２からｔ２３までの期間では、上述の第１の制御信号に基づいて、デマルチプレクサ３１により、データ線Ｘ（３ｎ−２）、Ｘ（３ｎ−１）、Ｘ（３ｎ）のうちデータ線Ｘ（３ｎ−２）を選択する。これにより、データ線Ｘ（３ｎ−２）には、入力端子ＳＥＧから入力される時分割された画像信号を構成する赤（Ｒ）、緑（Ｇ）、青（Ｂ）の各色の画像信号のうち赤（Ｒ）の画像信号が供給される。この赤（Ｒ）の画像信号に基づく画像電圧は、オン状態のＴＦＴ５１を介して、走査線Ｙｍとデータ線Ｘ（３ｎ−２）との交差に対応して設けられたサブ画素５０の画素電極５５に書き込まれる。
【００８０】
次に、時刻ｔ２３からｔ２４までの期間では、上述の第１の制御信号に基づいて、時刻ｔ２２からｔ２３までの期間の２倍の期間に亘って、デマルチプレクサ３１により、データ線Ｘ（３ｎ−２）、Ｘ（３ｎ−１）、Ｘ（３ｎ）のうちデータ線Ｘ（３ｎ−１）を選択する。これにより、データ線Ｘ（３ｎ−１）には、入力端子ＳＥＧから入力される時分割された画像信号を構成する赤（Ｒ）、緑（Ｇ）、青（Ｂ）の各色の画像信号のうち緑（Ｇ）の画像信号が供給される。この緑（Ｇ）の画像信号に基づく画像電圧は、オン状態のＴＦＴ５１を介して、走査線Ｙｍとデータ線Ｘ（３ｎ−１）との交差に対応して設けられたサブ画素５０の画素電極５５に書き込まれる。
【００８１】
次に、時刻ｔ２４からｔ２５までの期間では、上述の第１の制御信号に基づいて、時刻ｔ２２からｔ２３までの期間と同一の期間に亘って、デマルチプレクサ３１により、データ線Ｘ（３ｎ−２）、Ｘ（３ｎ−１）、Ｘ（３ｎ）のうちデータ線Ｘ（３ｎ）を選択する。これにより、データ線Ｘ（３ｎ）には、入力端子ＳＥＧから入力される時分割された画像信号を構成する赤（Ｒ）、緑（Ｇ）、青（Ｂ）の各色の画像信号のうち青（Ｂ）の画像信号が供給される。この青（Ｂ）の画像信号に基づく画像電圧は、オン状態のＴＦＴ５１を介して、走査線Ｙｍとデータ線Ｘ（３ｎ）との交差に対応して設けられたサブ画素５０の画素電極５５に書き込まれる。
【００８２】
次に、時刻ｔ２５において、走査線駆動回路１０により、ｍ行目の走査線Ｙｍに選択電圧を供給するのを停止して、ｍ行目の走査線Ｙｍの電圧ＧＡＴＥ（ｍ）を電圧ＶＧＬとする。すると、ｍ行目の走査線Ｙｍに接続された全てのＴＦＴ５１がオフ状態となる。
【００８３】
次に、時刻ｔ２５からｔ２７までの帰線期間のうち、時刻ｔ２５からｔ２６までの期間では、制御回路３２により、入力端子ＳＥＧから入力される時分割された画像信号において、この時分割された画像信号を構成する赤（Ｒ）、緑（Ｇ）、青（Ｂ）の各色の画像信号の階調の平均値を判定する。そして、判定した階調の平均値に基づいて、第１電源３３１、第２電源３３２、または第３電源３３３のいずれか１つを選択するための信号を、第２の制御信号として電源回路３３に供給する。
【００８４】
また、制御回路３２により、赤（Ｒ）の画像信号と、緑（Ｇ）の画像信号と、のレベルの差分を求めるとともに、赤（Ｒ）の画像信号と、青（Ｂ）の画像信号と、のレベルの差分を求める。ここで、赤（Ｒ）の画像信号を基準として、緑（Ｇ）の画像信号が３２階調だけ大きいものとし、青（Ｂ）の画像信号が６８階調だけ大きいものとする。すると、制御回路３２は、赤（Ｒ）の画像信号が供給されるデータ線Ｘ（３ｎ−２）を選択する期間を基準として、同一の期間に亘って緑（Ｇ）の画像信号が供給されるデータ線Ｘ（３ｎ−１）を選択するとともに、２倍の期間に亘って青（Ｂ）の画像信号が供給されるデータ線Ｘ（３ｎ）を選択するための信号を、第１の制御信号としてデマルチプレクサ３１に供給する。
【００８５】
以降、時刻ｔ２６からｔ３０までの期間では、制御回路３２から供給される第１の制御信号および第２の制御信号に基づいて、上述の時刻ｔ２１からｔ２５までの期間と同様に動作する。
なお、時刻ｔ２５からｔ２７までの帰線期間のうち、時刻ｔ２６からｔ２７までの期間は、上述の時刻ｔ２１からｔ２２までの期間に等しい。また、時刻ｔ２７からｔ２８までの期間と、時刻ｔ２８からｔ２９までの期間とは、上述の時刻ｔ２２からｔ２３までの期間に等しく、時刻ｔ２９からｔ３０までの期間と、上述の時刻ｔ２７からｔ２８までの期間の２倍の期間に等しい。
【００８６】
本実施形態によれば、以下のような効果がある。
（４）制御回路３２により、時分割された画像信号を構成する赤（Ｒ）の画像信号と、緑（Ｇ）の画像信号と、のレベルの差分を判定するとともに、赤（Ｒ）の画像信号と、青（Ｂ）の画像信号と、のレベルの差分を判定した。そして、デマルチプレクサ３１により、これら差分に対応した期間でデータ線Ｘ（３ｎ−２）、Ｘ（３ｎ−１）、Ｘ（３ｎ）に画像信号を供給した。このため、プリチャージを行っても、なお画像電圧の書き込み不足が発生する恐れのある場合には、上述の差分に対応した期間でデータ線Ｘ（３ｎ−２）、Ｘ（３ｎ−１）、Ｘ（３ｎ）に画像信号を供給することで、画像信号を供給する時間を長くして、画像電圧の書き込み不足を防止できる。
【００８７】
＜変形例＞
なお、本発明は上述の各実施形態に限定されるものではなく、本発明の目的を達成できる範囲での変形、改良等は本発明に含まれるものである。
例えば、上述の第２実施形態では、所定の比率として２：１：１の比率を用いたが、これに限らず、例えば３：２：１であってもよい。
【００８８】
また、上述の第２実施形態では、制御回路３２により、判定した赤（Ｒ）、緑（Ｇ）、青（Ｂ）の各色の画像信号の階調の平均値が２００階調以上であれば、記憶部に記憶した２：１：１の比率に基づいて、データ線Ｘ（３ｎ−２）、Ｘ（３ｎ−１）、Ｘ（３ｎ）をそれぞれ、２：１：１の期間ごとに順次選択するための信号を、第１の制御信号としてデマルチプレクサ３１に供給したが、これに限らない。例えば、２００階調ではなく、１２８階調以上であれば、上述のように、記憶部に記憶した比率に基づいて、第１の制御信号をデマルチプレクサ３１に供給してもよい。
【００８９】
また、上述の第３実施形態では、赤（Ｒ）の画像信号を基準として、緑（Ｇ）や青（Ｂ）の画像信号が６４階調以上大きければ、赤（Ｒ）の画像信号を供給するデータ線Ｘ（３ｎ−２）を選択する期間の２倍の期間に亘って、緑（Ｇ）の画像信号を供給するデータ線Ｘ（３ｎ−１）や青（Ｂ）の画像信号を供給するデータ線Ｘ（３ｎ）を選択したが、これに限らない。例えば、赤（Ｒ）の画像信号ではなく、緑（Ｇ）や青（Ｂ）の画像信号を基準としてもよい。また、例えば、６４階調ではなく、３２階調以上大きければ、上述のようにデータ線Ｘを選択する期間を２倍にしてもよい。
【００９０】
また、上述の各実施形態では、赤（Ｒ）のサブ画素５０に係るデータ線Ｘ（３ｎ−２）、緑（Ｇ）のサブ画素５０に係るデータ線Ｘ（３ｎ−１）、青（Ｂ）のサブ画素５０に係るデータ線Ｘ（３ｎ）の順番に、プリチャージを行うとともに、各色の画像信号を供給したが、これに限らない。
上述の順番は、例えば、緑（Ｇ）のサブ画素５０に係るデータ線Ｘ（３ｎ−１）、青（Ｂ）のサブ画素５０に係るデータ線Ｘ（３ｎ）、赤（Ｒ）のサブ画素５０に係るデータ線Ｘ（３ｎ−２）の順番であったり、赤（Ｒ）のサブ画素５０に係るデータ線Ｘ（３ｎ−２）、青（Ｂ）のサブ画素５０に係るデータ線Ｘ（３ｎ）、緑（Ｇ）のサブ画素５０に係るデータ線Ｘ（３ｎ−１）の順番であってもよい。
また、上述の順番は、例えば、１フレーム期間ごとや、１水平走査期間ごとに変更してもよい。
【００９１】
また、上述の各実施形態では、３２０行の走査線Ｙと、２４０列のデータ線Ｘと、を備えるものとしたが、これに限らず、例えば、４８０行の走査線Ｙと、６４０列のデータ線Ｘと、を備えてもよい。
【００９２】
また、上述の各実施形態では、１つの画素５を、３つのサブ画素５０で構成したが、これに限らず、例えば、１つの画素５を、４つのサブ画素５０や５つのサブ画素５０で構成してもよい。
【００９３】
また、上述の各実施形態では、サブ画素５０は、それぞれ、赤（Ｒ）、緑（Ｇ）、青（Ｂ）を表示するものとしたが、これに限らず、例えば、赤（Ｒ）、緑（Ｇ）、青（Ｂ）、シアン（Ｃ）を表示するものとしてもよい。
【００９４】
また、上述の各実施形態では、電源回路３３は、第１電源３３１、第２電源３３２、および第３電源３３３の３つの電源回路を備えるものとしたが、これに限らず、例えば５つの電源回路を備えてもよい。
【００９５】
また、上述の実施形態では、本発明を液晶を用いた電気光学装置１に適用したが、これに限らず、液晶以外の電気光学物質を用いた電気光学装置にも適用できる。電気光学物質とは、電気信号（電流信号または電圧信号）の供給によって透過率や輝度といった光学的特性が変化する物質である。例えば、有機ＥＬ（Electro-Luminescent）や発光ポリマーなどのＯＬＥＤ素子を電気光学物質として用いた表示パネルや、着色された液体とこの液体に分散された白色の粒子とを含むマイクロカプセルを電気光学物質として用いた電気泳動表示パネル、極性が相違する領域ごとに異なる色に塗り分けられたツイストボールを電気光学物質として用いたツイストボールディスプレイパネル、黒色トナーを電気光学物質として用いたトナーディスプレイパネル、あるいは、ヘリウムやネオン等の高圧ガスを電気光学物質として用いたプラズマディスプレイパネルなど各種の電気光学装置に対しても、上記実施形態と同様に本発明が適用され得る。
【００９６】
＜応用例＞
次に、上述した第１実施形態に係る電気光学装置１を適用した電子機器について説明する。
図６は、電気光学装置１を適用した携帯電話機の構成を示す斜視図である。携帯電話機３０００は、複数の操作ボタン３００１およびスクロールボタン３００２、ならびに電気光学装置１を備える。スクロールボタン３００２を操作することによって、電気光学装置１に表示される画面がスクロールされる。
【００９７】
なお、電気光学装置１が適用される電子機器としては、図６に示すもののほか、パーソナルコンピュータ、情報携帯端末、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器などが挙げられる。そして、これらの各種電子機器の表示部として、前述した液晶装置が適用可能である。
【図面の簡単な説明】
【００９８】
【図１】本発明の第１実施形態に係る電気光学装置のブロック図である。
【図２】前記電気光学装置が備える単位データ線駆動回路のブロック図である。
【図３】前記電気光学装置のタイミングチャートである。
【図４】前記電気光学装置のタイミングチャートである。
【図５】前記電気光学装置のタイミングチャートである。
【図６】上述した電気光学装置を適用した携帯電話機の構成を示す斜視図である。
【符号の説明】
【００９９】
１、１Ａ、１Ｂ…電気光学装置、５…画素、１０…走査線駆動回路、２０…データ線駆動回路、３１…デマルチプレクサ（選択回路）、３２、３２Ａ、３２Ｂ…制御回路（プリチャージ制御回路）、３３、３３Ａ、３３Ｂ、３３Ｃ…電源回路（プリチャージ回路）、５０…サブ画素、３０００…携帯電話機（電子機器）、Ａ…表示領域、Ｓ、Ｔ、Ｕ…単位データ線駆動回路、Ｘ…データ線、Ｙ…走査線。
【図１】
2008020573.tif 000003
【図２】
2008020573.tif 000004
【図３】
2008020573.tif 000005
【図４】
2008020573.tif 000006
【図５】
2008020573.tif 000007
【図６】
2008020573.tif 000008